(57)【要約】【課題】  仙腸関節の動きを制限するために骨盤周囲に巻かれる骨盤ベルトを使用する際のずれを防止し、排泄時の骨盤ベルトの取り扱いの煩わしさから解放する骨盤ベルトサポーターを提供する。【解決手段】ズボン・スカート等の着衣にしたベルトに押さえられることにより、骨盤ベルト（１１）の上方へのずれを防止するための厚みのある当て（３）を設け、骨盤ベルト（１１）を取り付けるためのベルト通しと、骨盤ベルトの面ファスナーの連結を外した際に、骨盤ベルト両端を差し込むベルト止（１０）を設けた骨盤ベルトサポーターを特徴とする。【選択図】図１
2017095842.tif 000002
【特許請求の範囲】
【請求項１】
ズボン・スカート等の着衣にしたベルトに押さえられることで、仙腸関節の動きを制限するために骨盤周囲に巻かれた骨盤ベルトが上にずれることを防止するための当てを設けた、下腹部・臀部を覆う、サポーター、バンド、及びズボン・スカート等の衣服の下に着用する衣料
【請求項２】
仙腸関節の動きを制限するために骨盤周囲に巻かれる骨盤ベルトを使用時に取り付け、不使用時には取り外すことができるベルト通しを設けた、下腹部・臀部を覆う、サポーター、バンド及びズボン・スカート等の衣服の下に着用する衣料
【発明の詳細な説明】
【技術分野】
【０００１】  この発明は、仙腸関節の動きを制限するために骨盤周囲に巻かれる骨盤ベルトのずれを防止するための当てと、骨盤ベルトを取り付けるためのベルト通しを設けた骨盤ベルトサポーターに関するものである。
【背景技術】
【０００２】  骨盤ベルトは仙腸関節の動きを制限し、仙腸関節の損傷による痛みの軽減またその予防のために、上部は腸骨の上前腸骨棘から上後腸骨棘・仙骨上部、下部は大腿骨の大転子・仙骨下部を取り巻き、左右両端に取り付けた面ファスナーを合わせることで装着される。大腿骨大転子は股関節から外側へ大きく張り出しているために、骨盤両側の上前腸骨棘から上後腸骨棘・仙骨上部にかけてを取り巻くよりも両大腿骨大転子・仙骨下部を取り巻いた方が周径は長い。そのために骨盤ベルトは上部は狭く下部が広い形で巻かれ、下から上への力がかかると容易に上にずれてしまう。脚の屈伸開閉運動や体の前屈動作で骨盤ベルトは大腿で上へと押される。骨盤前方は大きく突出した上前腸骨棘が、骨盤ベルトが上へ押されてずれることを制限するけれども、骨盤後方の上後腸骨棘の突出は小さく、骨盤ベルトは後部が上へとずれ、全体が上にずれてしまう。
また排泄行為時には骨盤ベルトは取り外さなければならず、その際に外した骨盤ベルトをどのようにして持っていようか、どこかに置こうかなどとその処置に煩わされる。
これらの問題を解決することを目的とした骨盤ベルト付き下着や骨盤サポート機能付き下着は、骨盤ベルト部分や骨盤サポート機能部分に下から上への力がかかることによるずれを十分に防止できない。また骨盤支持機能を備えるために一般の下着よりも高価となるため、下着は日々取り換え消耗すれば新たに入手せねばならず、必要数を揃えることは利用者にとって費用負担が大きくなる。さらに使用に伴う消耗により、骨盤ベルトや骨盤サポート機能が損傷すると下着として使うには不便で、下着本体が損傷すれば骨盤ベルトや骨盤サポート機能に問題がなくとも使用することはできなくなり、資源の有効活用性の面で問題がある。
【先行技術文献】
【特許文献】
【０００３】
【特許文献１】特開２０１４−１１３４３４号公報
【特許文献２】特開２０１３−１８５２６８号公報
【特許文献３】実用新案登録第３１９５２９８号公報
【発明の概要】
【発明が解決しようとする課題】
【０００４】  骨盤ベルトは単独で使用する場合上にずれる、排泄時の処置に煩わされるという問題がある。
特許文献１の骨盤ベルト付き下着はパンツに骨盤ベルトを固定しているために、骨盤ベルトに骨盤支持機能を得るほど十分な引き締める力があれば、骨盤ベルトに上へ押し上げる力がかかると、骨盤ベルトはパンツの生地を引っ張り上げて上にずれてしまう。また骨盤ベルトを取り付けるので、普通の下着より原材料は増え、製造の手間もかかるために製造費用は普通の下着よりも高くなることになり、利用者が日々の取り換えや使用に伴う消耗のために必要枚数を揃えるための費用負担が大きくなる。さらに骨盤ベルト部分が損傷すると下着として使用するには不便であり、下着本体が損傷すると骨盤ベルトの機能が正常であっても使用できないので資源の有効活用性に問題がある。
特許文献２の骨盤周りサポート帯布付きショーツは、特許文献１と同様に骨盤サポート帯に十分な骨盤支持機能を得るほどに引き締める力があれば、ショーツの生地を引っ張り上げて骨盤サポート帯がずれるという問題が生じ、利用者の費用負担や資源の有効活用性の問題についても特許文献１と同様である。
特許文献３の骨盤サポート衣類は前後の縦縁でガードル本体に縫着されて、上辺・下辺は縫着されずフリーとなっているために、上辺・下辺を縫着するよりもかえって骨盤サポート用のベルトは十分な骨盤支持機能を得る引き締める力があれば上へずれてしまう。また利用者の費用負担や資源の有効活用性の問題についても特許文献１・２と同様である。
本発明は、以上の骨盤ベルト及び骨盤ベルト付き下着や骨盤サポート機能付き下着使用における不都合を解消するものである。
【課題を解決するための手段】
【０００５】  本発明を骨盤に装着し、その上に巻いた骨盤ベルト（１１）にあわせて左右のベルト通し上部（１）とベルト通し下部（２）を、面ファスナー（５）と面ファスナー（６）とを合わせて連結させ、厚みのある当て（３）の上側が、ズボン、スカート等の着衣にするベルトの下縁に当たるように、左右の厚みのある当てを連結する布地（４）を、面ファスナー（７）と、面ファスナー（８）及び面ファスナー（９）とを合わせて、連結させたベルト通しの上から本発明本体にかけて取り付ける、そしてズボン、スカート等の着衣にするベルトを締める。
排泄時に左右両端の面ファスナーの連結を外した骨盤ベルトはベルト通しにより支えられ、左右の端はベルト止（１０）に差し込み、垂れ下がりを防止する。
本発明は、以上の構成よりなる骨盤ベルトサポーターである。
【発明の効果】
【０００６】  （イ）  厚みのある当てがズボンやスカート等の着衣にしたベルトに押さえられることで、骨盤ベルトをずれることなく装着し続けることができる。
（ロ）  排泄時に面ファスナーの連結を外した骨盤ベルトはベルト通しに支えられ、骨盤ベルトの取扱いに煩わされることはなく、再度の取り付けもし易くなる。
（ハ）  本発明の使用により、骨盤ベルトを一本所持すれば骨盤ベルト付き下着や骨盤サポート機能付き下着を複数所持する必要がなくなり、利用者にかかる費用の負担は減り、資源の有効活用性も高まる。
【図面の簡単な説明】
【０００７】
【図１】  本体に骨盤ベルトを取り付け、厚みのある当てを取り付けた本発明の斜視図である。
【図２】  本発明の背面図である。
【図３】  本発明の正面図である。
【図４】  ベルト通しを示した本発明の斜視図である。（右側はベルト通しを連結している。）
【図５】  左側ベルト止に面ファスナーの連結を外した骨盤ベルトを差し込んだ、ベルト止を示した本発明の斜視図である。（左側の厚みのある当てを連結する布地（４）を本体裏側に折り返している。）
【発明を実施するための形態】
【０００８】  以下、本発明を実施するための形態について説明する。
伸縮する布を、下腹部、臀部を取り巻き、その周径に合わせて伸縮するように覆うようにして本発明の本体とする。本体後面の左側と右側の、上の方と下の方に布地を取り付け、左右それぞれ上の布地をベルト通しの上部（１）、下の布地をベルト通しの下部（２）とする。ベルト通しの上部（１）に面ファスナー（５）を、ベルト通しの下部（２）に面ファスナー（６）を、面ファスナー（５）と面ファスナー（６）を合わせるとベルト通しの上部（１）がベルト通しの下部（２）の上に重なるようにして取り付ける。ベルト通しの下部（２）に、本体の上端を超えて折り返すのに十分な長さの、厚みのある当てを連結する布地（４）を取り付ける。厚みのある当てを連結する布地（４）に、ベルト通しの下部（２）と向かい合う面の裏面には、中に布を詰めることで厚みを持たせた厚みのある当て（３）を取り付け、ベルト通しの下部（２）と向かい合う面には、裏面に厚みのある当て（３）を取り付けた所から、ベルト通しの下部（２）に取り付けられているのと反対側の末端まで面ファスナー（７）を取り付ける。ベルト通しの上部（１）の面ファスナー（５）を取り付けたのと反対の面から本発明の本体の上端まで、面ファスナー（７）と合わせる面ファスナー（８）を取り付ける。面ファスナー（７）の本体の上端を超えて折り返した部分と合わせる面ファスナー（９）を本体の裏面に取り付ける。本体の前面左右に本体より幅の狭い布地を、左右を縫い付け上下は本体から離れるように取り付けてベルト止（１０）とする。
骨盤ベルト（１１）を本発明の上から適切な位置に巻くと、骨盤ベルト（１１）がベルト通しの上部（１）とベルト通しの下部（２）との間に巻かれるように、本発明を肌着の上から装着して、骨盤ベルト（１１）を適切な位置に巻く。ベルト通しの上部（１）が骨盤ベルトの上縁に接するようにして、ベルト通しの上部（１）とベルト通しの下部（２）を骨盤ベルト（１１）の幅に合わせ、面ファスナー（５）と面ファスナー（６）を合わせて連結する。そしてズボンやスカート等の着衣にするベルトを締めると、厚みのある当て（３）の上側が、着衣にするベルトの下縁に当たるように、面ファスナー（８）に面ファスナー（７）を合わせて厚みのある当て（３）をベルト通しから本体にかけて取り付ける。厚みのある当て（３）を強く本体に固定するために、骨盤ベルトの面ファスナーの連結を一旦外し、厚みのある当てを連結する布地（４）の本体の上端を超えた部分を、本体裏面に折り返して、面ファスナー（７）を面ファスナー（９）に合わせ、本体裏面に取り付けて、再度骨盤ベルトの面ファスナーを合わせ、骨盤ベルトを装着する。この状態でズボン、スカート等の着衣にするベルトを締めると、厚みのある当て（３）が着衣にしたベルトに押さえられ、骨盤ベルト（１１）は上にずれない。
排泄時に左右の面ファスナーの連結を外した骨盤ベルト（１１）はベルト通しの上部（１）とベルト通しの下部（２）を連結させたベルト通しに支えられる。骨盤ベルトの左右の端はベルト止（１０）に差し込んで、垂れ下がり便器や床と接触しないようにする。
【符号の説明】
【０００９】  １  ベルト通しの上部
２  ベルト通しの下部
３  厚みのある当て
４  厚みのある当てを連結する布地
５、６、７、８、９  面ファスナー
１０  ベルト止
１１  骨盤ベルト
【図１】
2017095842.tif 000003
【図２】
2017095842.tif 000004
【図３】
2017095842.tif 000005
【図４】
2017095842.tif 000006
【図５】
2017095842.tif 000007